(57)【要約】【課題】ＣＣＤカメラなどの撮像手段を用いることなく、画像表示装置によって表示される画像を正確に反映した検査画像データを構成することができる検査画像データ構成方法を提供すること。【解決手段】画像表示装置１における１つの画素１１に対応する透光部２３１を有する透光遮光部材２３を用いることによって、光源２２から出射される光のうちデータ取得対象画素１１によって変調される光を透光部２３１によって抽出して受光素子２５に照射することができるので、受光素子２５はデータ取得対象画素１１の画素データを取得することができる。そして、各データ取得対象画素１１について取得された各画素データを組み合わせることによって、検査画像データを構成することができる。【選択図】図２
2007147436.tif 000002
【特許請求の範囲】
【請求項１】
光を変調して画像単位を表示する画素を複数有し、当該各画素によって表示される各画像単位の組合せとしての画像を表示する画像表示装置の検査に用いられる検査画像データを構成するための検査画像データ構成方法であって、
光を出射する光源と、光を受けて受光量に応じたデータを出力する受光素子とを、当該光源から出射されて前記画像表示装置における各画素によって変調された光が当該受光素子によって受けられるように配置し、
前記画像表示装置における１つの画素に対応する透光部と、当該透光部を囲む遮光部とを有する透光遮光部材を、前記光源から前記画像表示装置を経て前記受光素子に向かう光路上に配置し、
前記画像表示装置における各画素を、順次、データ取得対象画素として、前記透光遮光部材における透光部が、前記光源から前記データ取得対象画素を経て前記受光素子に向かう光路上に配置されるように、前記透光遮光部材および前記画像表示装置を順次相対移動させ、前記受光素子によって、前記データ取得対象画素の画素データを順次取得し、
前記画像表示装置における各画素について取得された前記各画素データを組み合わせて検査画像データを構成する
ことを特徴とする検査画像データ構成方法。
【請求項２】
請求項１に記載の検査画像データ構成方法において、
前記光源から出射される光の一部を受けて、当該光源の出射光量に応じた光源出射光量データを出力する補正用受光素子を配置し、
前記補正用受光素子によって取得される光源出射光量データの変動に合わせて、前記受光素子によって取得される画素データを補正する
ことを特徴とする検査画像データ構成方法。
【請求項３】
請求項２に記載の検査画像データ構成方法において、
前記透光遮光部材を、前記画像表示装置よりも前記光源側に配置し、
前記補正用受光素子を、前記光源から出射されて前記透光遮光部材における透光部を透過した後の光であって、前記画像表示装置に照射される前の光の一部を受けるように配置する
ことを特徴とする検査画像データ構成方法。
【請求項４】
光を変調して画像単位を表示する画素を複数有し、当該各画素によって表示される各画像単位の組合せとしての画像を表示する画像表示装置の検査に用いられる検査画像データを構成するための検査画像データ構成装置であって、
光を出射する光源と、
前記光源から出射されて前記画像表示装置における各画素によって変調された光を受けて受光量に応じたデータを出力する受光素子と、
前記光源から前記画像表示装置を経て前記受光素子に向かう光路上に配置され、前記画像表示装置における１つの画素に対応する透光部と、当該透光部を囲む遮光部とを有する透光遮光部材と、
前記画像表示装置における各画素を、順次、データ取得対象画素として、前記透光遮光部材における透光部が、前記光源から前記データ取得対象画素を経て前記受光素子に向かう光路上に配置されるように、前記透光遮光部材および前記画像表示装置を順次相対移動させ、前記受光素子によって、前記データ取得対象画素の画素データを順次取得する画素データ取得手段と、
前記画像表示装置における各画素について取得された前記各画素データを組み合わせて検査画像データを構成する検査画像データ構成手段と
を備えることを特徴とする検査画像データ構成装置。
【請求項５】
請求項４に記載の検査画像データ構成装置において、
前記光源から出射される光の一部を受けて、当該光源の出射光量に応じた光源出射光量データを出力する補正用受光素子と、
前記補正用受光素子によって取得される光源出射光量データの変動に合わせて、前記画素データ取得手段によって取得される画素データを補正する画素データ補正手段と
が設けられることを特徴とする検査画像データ構成装置。
【発明の詳細な説明】
【技術分野】
【０００１】
本発明は、検査画像データ構成方法，検査画像データ構成装置に関する。
【背景技術】
【０００２】
従来、画像表示装置の検査に用いられる検査画像データは、画像表示装置によって表示される画像をＣＣＤカメラなどの撮像手段によって撮像することによって取得されている（例えば、特許文献１参照）。
【０００３】
【特許文献１】特開平１０−６３２２９号公報
【発明の開示】
【発明が解決しようとする課題】
【０００４】
しかしながら、ＣＣＤカメラによる撮像の際には、ＣＣＤカメラに内蔵されているレンズによる周辺減光や、ＣＣＤカメラにおける各撮像画素の感度のばらつきなどの影響があるため、画像表示装置によって表示される画像を正確に反映した検査画像データを取得することができないという問題がある。
【０００５】
本発明の目的は、ＣＣＤカメラなどの撮像手段を用いることなく、画像表示装置によって表示される画像を正確に反映した検査画像データを構成することができる検査画像データ構成方法，検査画像データ構成装置を提供することである。
【課題を解決するための手段】
【０００６】
本発明の検査画像データ構成方法は、光を変調して画像単位を表示する画素を複数有し、当該各画素によって表示される各画像単位の組合せとしての画像を表示する画像表示装置の検査に用いられる検査画像データを構成するための検査画像データ構成方法であって、光を出射する光源と、光を受けて受光量に応じたデータを出力する受光素子とを、当該光源から出射されて前記画像表示装置における各画素によって変調された光が当該受光素子によって受けられるように配置し、前記画像表示装置における１つの画素に対応する透光部と、当該透光部を囲む遮光部とを有する透光遮光部材を、前記光源から前記画像表示装置を経て前記受光素子に向かう光路上に配置し、前記画像表示装置における各画素を、順次、データ取得対象画素として、前記透光遮光部材における透光部が、前記光源から前記データ取得対象画素を経て前記受光素子に向かう光路上に配置されるように、前記透光遮光部材および前記画像表示装置を順次相対移動させ、前記受光素子によって、前記データ取得対象画素の画素データを順次取得し、前記画像表示装置における各画素について取得された前記各画素データを組み合わせて検査画像データを構成することを特徴とする。
【０００７】
以上のような検査画像データ構成方法では、画像表示装置における１つの画素に対応する透光部を有する透光遮光部材を用いることによって、光源から出射される光のうちデータ取得対象画素によって変調される光のみを透光部によって抽出して受光素子に照射することができるので、受光素子はデータ取得対象画素の画素データを取得することができる。そして、各データ取得対象画素について取得された各画素データを組み合わせることによって、検査画像データを構成することができる。
以上のような検査画像データ構成方法では、ＣＣＤカメラなどの撮像手段を用いることなく画素データを取得して検査画像データを構成しているので、撮像手段に内蔵されているレンズによる周辺減光や、撮像手段における各撮像画素の感度のばらつきなどの影響を受けることなく、画像表示装置によって表示される画像を正確に反映した検査画像データを構成することができる。
また、以上のような検査画像データ構成方法では、各画素の画素データを取得する際に、透光遮光部材における遮光部によって、データ取得対象画素以外の他の画素によって変調される光を遮ることができるので、受光素子では、当該他の画素の影響を受けることなく、データ取得対象画素の画素データを正確に取得することができる。したがって、当該各画素データの組合せとしての検査画像データを高精度に構成することができる。
【０００８】
本発明の検査画像データ構成方法では、前記光源から出射される光の一部を受けて、当該光源の出射光量に応じた光源出射光量データを出力する補正用受光素子を配置し、前記補正用受光素子によって取得される光源出射光量データの変動に合わせて、前記受光素子によって取得される画素データを補正することが好ましい。
【０００９】
以上のような検査画像データ構成方法によれば、各データ取得対象画素についての画素データを順次取得している間に光源からの出射光量に変動が生じたとしても、補正用受光素子によって取得される光源出射光量データの変動に合わせて、受光素子によって取得される画素データを補正することができるので、光源からの出射光量の変動の影響をなくすことができ、画像表示装置によって表示される画像を正確に反映した検査画像データを構成することができる。
【００１０】
本発明の検査画像データ構成方法では、前記透光遮光部材を、前記画像表示装置よりも前記光源側に配置し、前記補正用受光素子を、前記光源から出射されて前記透光遮光部材における透光部を透過した後の光であって、前記画像表示装置に照射される前の光の一部を受けるように配置することが好ましい。
【００１１】
以上のような検査画像データ構成方法では、透光遮光部材における透光部を透過した後の、画像表示装置におけるデータ取得対象画素のみに照射される光の一部が補正用受光素子に照射される。このため、補正用受光素子によって取得される光源出射光量データは、光源から出射された光のうち、特に、データ取得対象画素に照射される分の光量変動を正確に反映したデータとなるので、当該データ取得対象画素について取得された画素データを高精度に補正することができる。
【００１２】
本発明の検査画像データ構成装置は、光を変調して画像単位を表示する画素を複数有し、当該各画素によって表示される各画像単位の組合せとしての画像を表示する画像表示装置の検査に用いられる検査画像データを構成するための検査画像データ構成装置であって、光を出射する光源と、前記光源から出射されて前記画像表示装置における各画素によって変調された光を受けて受光量に応じたデータを出力する受光素子と、前記光源から前記画像表示装置を経て前記受光素子に向かう光路上に配置され、前記画像表示装置における１つの画素に対応する透光部と、当該透光部を囲む遮光部とを有する透光遮光部材と、前記画像表示装置における各画素を、順次、データ取得対象画素として、前記透光遮光部材における透光部が、前記光源から前記データ取得対象画素を経て前記受光素子に向かう光路上に配置されるように、前記透光遮光部材および前記画像表示装置を順次相対移動させ、前記受光素子によって、前記データ取得対象画素の画素データを順次取得する画素データ取得手段と、前記画像表示装置における各画素について取得された前記各画素データを組み合わせて検査画像データを構成する検査画像データ構成手段とを備えることを特徴とする。
【００１３】
本発明の検査画像データ構成装置では、前記光源から出射される光の一部を受けて、当該光源の出射光量に応じた光源出射光量データを出力する補正用受光素子と、前記補正用受光素子によって取得される光源出射光量データの変動に合わせて、前記画素データ取得手段によって取得される画素データを補正する画素データ補正手段とが設けられることが好ましい。
【００１４】
以上のような検査画像データ構成装置は、前述した本発明の検査画像データ構成方法を実施するための構成を備えているので、当該検査画像データ構成方法と同じ各作用・効果を奏することができる。
【発明を実施するための最良の形態】
【００１５】
続いて、本発明の実施形態を図面に基づいて説明する。
（１）液晶パネルの構成
図１は、検査対象としての液晶パネル１を示す平面図である。
液晶パネル１は、光を変調して画像単位を表示する液晶画素１１を多数有し、当該各液晶画素１１によって表示される各画像単位の組合せとしての画像を表示する画像表示装置である。なお、マトリックス状に整列配置された各液晶画素１１は、互いに略同大同形であり、当該各液晶画素１１間は非表示領域としてのブラックマトリックス１２となっている。個々の液晶画素１１は、入力される画像信号に応じて透過率が制御されるようになっており、光源からの光を受けて透過率に応じた輝度の画像単位を表示することができる。実際には、図２に示されるように、各液晶画素１１（図２においては、１つの液晶画素１１のみを特に図示し、その他の液晶画素１１については図示を省略している）を挟んで配置される２枚の偏光板１３，１４が利用されて画像単位の表示が行われる。すなわち、個々の液晶画素１１は、入力される画像信号に応じて偏光方向が制御されるようになっているところ、制御された各液晶画素１１の偏光方向と２枚の偏光板１３，１４の偏光方向との関係に基づいて透過光量が制御されるようになっている。
【００１６】
（２）検査画像データ構成装置の構成
図２は、液晶パネル１の検査に用いられる検査画像データを構成するための検査画像データ構成装置の構成を示すブロック図である。
検査画像データ構成装置は、検査画像データを構成するためのデータを取得するデータ取得部２と、データ取得部２において取得されたデータに基づいて検査画像データを構成するデータ処理部３と、データ取得部２においてデータを取得する際の各種制御を実行する制御部４とを備えて構成されている。
【００１７】
データ取得部２は、外部からの光が入り込まないような暗箱構造となっており、液晶パネル駆動テーブル２１と、光源２２と、透光遮光部材２３と、ハーフミラー２４と、受光素子２５と、補正用受光素子２６と、Ａ／Ｄ変換器２７とを備えて構成されている。
【００１８】
液晶パネル駆動テーブル２１は、光源２２から受光素子２５に向かう光路Ｌ１上に配置されている。液晶パネル駆動テーブル２１には、検査対象の液晶パネル１が固定されるようになっており、後述する移動制御手段４２による制御の下、光路Ｌ１に垂直な面内において、当該液晶パネル駆動テーブル２１と一体的に所望方向に所望量移動可能になっている。このとき、液晶パネル駆動テーブル２１に固定された液晶パネル１には、光路Ｌ１に沿う光が照射されるので、当該光を各液晶画素１１（図２においては、光路Ｌ１上に配置される液晶画素１１のみを特に図示し、その他の液晶画素１１については図示を省略している）によって変調して画像単位を表示することができる。そして、各液晶画素１１によって表示された画像単位に基づく光は、受光素子２５に照射されるようになっている。
【００１９】
光源２２は、ＬＥＤ（Light Emitting Diode）によって構成されている。本実施形態では、特に、直流電流によって発光するタイプのＬＥＤを用いており、出射光量の時間的変動を小さくしている。
【００２０】
透光遮光部材２３は、光源２２から受光素子２５に向かう光路Ｌ１上に固定配置される。具体的には、透光遮光部材２３は、光路Ｌ１上において、液晶パネル１（液晶パネル駆動テーブル２１に固定）よりも光源２２側に固定配置される。
図３は、透光遮光部材２３を示す平面図である。透光遮光部材２３は、光を透過する透光部２３１と、当該透光部２３１を囲んで光を遮断する遮光部２３２とを有する。
透光部２３１は、液晶パネル１における１つの液晶画素１１に対応し、当該液晶画素１１と同大同形である。この透光部２３１に対応する部分に孔が空いている遮光性のクロム（Ｃｒ）膜を透光性のガラス基板上に形成することにより、孔に対応する透光部２３１，クロム膜に対応する遮光部２３２を有する透光遮光部材２３を構成することができる。
【００２１】
ハーフミラー２４は、光源２２から受光素子２５に向かう光路Ｌ１上において、液晶パネル１よりも光源２２側、かつ、透光遮光部材２３よりも受光素子２５側に配置され、光源２２から出射された光の一部を、光路Ｌ１から分岐する光路Ｌ２に沿って抽出する手段として機能する。具体的には、ハーフミラー２４は、光源２２から出射され、透光遮光部材２３における透光部２３１を透過した光のうち一定の割合（例えば、５０％）の光を光路Ｌ２に沿って抽出する。そして、ハーフミラー２４によって抽出された光路Ｌ２に沿う光は、補正用受光素子２６に照射されるようになっている。
【００２２】
受光素子２５は、光源２２から出射されて液晶パネル１（液晶パネル駆動テーブル２１に固定）における各液晶画素１１によって変調された光を受けて受光量に応じたデータ（電気信号）を出力する光電変換素子（例えば、増幅回路を持ったフォトトランジスタ）である。
【００２３】
補正用受光素子２６は、ハーフミラー２４によって抽出された光路Ｌ２に沿う光を受けて受光量に応じたデータ（電気信号）を出力する光電変換素子である。ここで、ハーフミラー２４が、光源２２から出射され（透光遮光部材２３における透光部２３１を透過し）た光のうち一定の割合の光を抽出する手段として機能しているので、当該ハーフミラー２４を介して補正用受光素子２６に照射される光量は、光源２２の出射光量に比例している。したがって、補正用受光素子２６が出力するデータは、光源２２の出射光量に比例した光源出射光量データとなっている。なお、補正用受光素子２６は、受光素子２５と同型のものでよい。
【００２４】
Ａ／Ｄ変換器２７は、受光素子２５からのアナログデータ，補正用受光素子２６からのアナログデータを、それぞれ、デジタルデータに変換して、データ処理部３に伝送する。
【００２５】
データ処理部３は、例えば、パーソナルコンピュータによって構成され、画素データ取得手段３１と、画素データ補正手段３２と、画素データ保存手段３３と、検査画像データ構成手段３４とを備えている。
【００２６】
画素データ取得手段３１は、後述するように、液晶パネル１の検査対象領域における各液晶画素１１を、順次、データ取得対象画素として、当該データ取得対象画素１１が、光源２２から透光遮光部材２３における透光部２３１を経て受光素子２５に向かう光路Ｌ１上に配置されるように、移動制御手段４２による制御の下で液晶パネル１（液晶パネル駆動テーブル２１に固定）を順次移動させ、受光素子２５によって、データ取得対象画素１１の画素データ（Ａ／Ｄ変換器２７を介したデジタルデータ）を順次取得する手段である。
【００２７】
画素データ補正手段３２は、後述するように、補正用受光素子２６によって取得される光源出射光量データ（Ａ／Ｄ変換器２７を介したデジタルデータ）の変動に合わせて、画素データ取得手段３１によって取得される画素データを補正する手段である。
【００２８】
画素データ保存手段３３は、後述するように、画素データ補正手段３２によって補正された画素データを保存する手段である。
【００２９】
検査画像データ構成手段３４は、後述するように、液晶パネル１の検査対象領域における各液晶画素１１について画素データ取得手段３１によって取得され、画素データ補正手段３２によって補正された各画素データを組み合わせて、液晶パネル１の検査対象領域を覆う検査画像データを構成する手段である。
【００３０】
制御部４は、表示制御手段４１と、移動制御手段４２とを備えて構成されている。
表示制御手段４１は、液晶パネル駆動テーブル２１に固定された液晶パネル１に画像信号を入力することによって、個々の液晶画素１１の表示状態（透過率）を制御する手段である。
移動制御手段４２は、液晶パネル駆動テーブル２１を移動を制御することによって、当該液晶パネル駆動テーブル２１に固定された液晶パネル１の移動を制御する手段である。
【００３１】
（３）検査画像データの構成方法
続いて、以上のような構成を備える検査画像データ構成装置によって行われる検査画像データの構成方法について説明する。
図４は、検査画像データの構成の流れを示すフローチャートである。
【００３２】
Ｓ１（Ｓはステップの意）では、光源２２を点灯する。以降、光源２２の出射光量は変化されず、略一定量の光が出射され続ける。
【００３３】
Ｓ２では、液晶パネル１における１つの液晶画素１１をデータ取得対象画素に設定する。後述するように、Ｓ２は、液晶パネル１の検査対象領域における全ての液晶画素１１がデータ取得対象画素に設定されるまで繰り返し行われる。なお、各液晶画素１１をデータ取得対象画素に設定する順序は任意である。
【００３４】
Ｓ３では、表示制御手段４１によって、データ取得対象画素１１を所定の表示状態（透過率）に制御する。ここでの所定の表示状態は、検査目的に合わせて適宜設定すればよい。例えば、透過率を０〜１００％の百分率で表すとして、データ取得対象画素１１の透過率を０％（無彩色では黒），５０％（無彩色では灰），１００％（無彩色では白）などに制御することができる。なお、Ｓ３は、Ｓ２と同様に液晶パネル１の検査対象領域における全ての液晶画素１１について繰り返し行われるが、各液晶画素１１の透過率を一律に揃える必要はなく、検査目的に応じて、各液晶画素１１ごとに異なる透過率に制御してもよい。例えば、液晶パネル１の検査用の検査画像データを黒および白の市松模様の画像データとして構成したい場合には、黒の部分に対応する液晶画素１１の透過率を０％に制御し、白の部分に対応する液晶画素１１の透過率を１００％に制御すればよい。
【００３５】
Ｓ４では、移動制御手段４２によって、液晶パネル駆動テーブル２１に固定された液晶パネル１の移動制御（光路Ｌ１に垂直な面内）を行い、データ取得対象画素１１を、光源２２から透光遮光部材２３における透光部２３１を経て受光素子２５に向かう光路Ｌ１上に配置する（図２参照）。このとき、液晶パネル１における１つの液晶画素１１に対応する透光部２３１を有する透光遮光部材２３によって、光源２２から出射される光のうち、光路Ｌ１上に配置されたデータ取得対象画素１１によって変調される光のみが透光部２３１を介して抽出される。そして、当該データ取得対象画素１１によって変調された光のみが受光素子２５に照射されることになる。
【００３６】
Ｓ５では、画素データ取得手段３１が、受光素子２５によって、データ取得対象画素１１の画素データ（Ａ／Ｄ変換器２７を介したデジタルデータ）を取得する。
【００３７】
Ｓ６では、画素データ補正手段３２が、補正用受光素子２６によって取得される光源出射光量データ（Ａ／Ｄ変換器２７を介したデジタルデータ）の変動に合わせて、画素データ取得手段３１によって取得される画素データを補正する。
【００３８】
図５に、画素データの補正の例を表として示す。
この表は、順次データ取得対象画素として設定される液晶画素１，２，３・・・について、補正前の画素データ，光源出射光量データ，透過率，補正後の画素データを示すものである。なお、この例では、液晶パネル１の検査対象領域における全ての液晶画素の透過率を一律に５０％に制御するような画像信号を表示制御手段４１によって液晶パネル１に入力している（なお、各画素の特性のばらつきによって、各画素の実際の透過率は５０パーセントからずれている）。また、前述したように光源２２からの出射光量は略一定に保たれるところ、この例では、当該出射光量を、Ａ／Ｄ変換器２７を介したデジタルデータに換算して約１２００とする。したがって、光源２２からの出射光量に変動がない理想的な状況を想定すれば、光源２２からは一定量（１２００）の光が出射され続ける。そして、ハーフミラー２４は、光源２２からの出射光量（１２００）を、ちょうど半分（６００）ずつに分割するものとする。したがって、光源２２からの出射光量に変動がない理想的な状況を想定すれば、補正用受光素子２６には、一定量（６００）の光が照射され続ける。一方、データ取得対象画素１１にも、一定量（６００）の光が照射され続け、そのうち当該データ取得対象画素１１の透過率（約５０％）に応じて透過した光が受光素子２５に照射されて画素データ（約３００）となる。
【００３９】
以上の条件の下で、受光素子２５によって取得された補正前の画素データ（約３００）を、当該画素データと同時に補正用受光素子２６によって取得された光源出射光量データによって補正する。前述したように、光源２２からの出射光量（１２００）に変動がない理想的な状況では、補正用受光素子２６によって取得される光源出射光量データは常に６００であるが、実際には、光源２２からの出射光量に僅かながらも変動が生じてしまい、図５に示されるように、光源出射光量データが６００からずれてしまうことがある。このとき、光源２２からの出射光量の変動に伴って、データ取得対象画素１１に照射される光量も６００からずれてしまうため、受光素子２５によって取得される画素データにも、光源２２の出射光量変動の影響が及んでしまう。そこで、画素データに含まれる光源２２の出射光量変動の影響を除去するため、まず、補正前の画素データを光源出射光量データで割ることによって画素データを補正する。ここで、ハーフミラー２４が光をちょうど半分ずつに分割するので、補正用受光素子２６への照射光量に対応する光源出射光量データはデータ取得対象画素１１への照射光量に対応するところ、当該データ取得対象画素１１を透過した後の受光素子２５への照射光量に対応する補正前の画素データを当該光源出射光量データで割ったものは、図５に示されるように、当該データ取得対象画素１１の実際の透過率に相当する。このように、光源２２の出射光量変動の影響が除去された透過率（０〜１）に変換された画素データは、さらに、データ処理部３における処理の都合上、１２ビットのデジタルデータ（０〜４０９５）に換算される。当然ながら、１２ビットのデジタルデータに換算された補正後の画素データも、光源２２の出射光量変動の影響を含んでおらず、データ取得対象画素１１の表示状態を正確に反映したデータとなっている。
【００４０】
Ｓ７では、画素データ保存手段３３が、画素データ補正手段３２によって補正された画素データを、当該画素データが取得されたデータ取得対象画素１１と関連付けて保存する。
【００４１】
Ｓ８では、液晶パネル１の検査対象領域における全ての液晶画素１１について画素データを保存したか否かを判定する。そして、当該検査対象領域における全ての液晶画素１１について画素データが保存されるまで、Ｓ２〜Ｓ７が繰り返し行われる。なお、液晶パネル１の検査対象領域は、液晶パネル１の全面に亘っていてもよいし、一部であってもよい。
【００４２】
Ｓ９では、検査画像データ構成手段３４が、液晶パネル１の検査対象領域における全ての液晶画素１１について保存された各画素データを組み合わせて、液晶パネル１の検査対象領域を覆う検査画像データを構成する。
【００４３】
以上のような検査画像データの構成方法は、端的に言えば、１つの液晶画素１１に対応する透光部２３１を有する透光遮光部材２３を利用することによって、各液晶画素１１の画素データを１つずつ取得し、当該各画素データを組み合わせて検査画像データを構成する方法である。ここで、各液晶画素１１の画素データを１つずつ取得するための方法としては、データ取得対象画素の透過率を画素データ取得のための透過率（例えば、５０％）に制御するとともに、データ取得対象画素以外の液晶画素の透過率を０％に制御する方法が考えられる。しかしながら、データ取得対象画素以外の液晶画素の透過率を０％に制御したとしても、光を完全に遮る（透過率０％）ことは困難であり、ある程度の漏れ光が生じてしまう。このように、データ取得対象画素以外の液晶画素からの漏れ光によって、データ取得対象画素の画素データの取得精度が悪化してしまう。これに対して、以上のような実施形態では、透光部２３１が遮光部２３２に囲まれている透光遮光部材２３を利用しているので、データ取得対象画素への光を透光部２３１によって抽出することができるとともに、データ取得対象画素以外の液晶画素への光を遮光部２３２によって遮ることができるので、データ取得対象画素以外の液晶画素からの漏れ光の影響をなくすことができ、データ取得対象画素の画素データの取得精度の悪化を防止することができる。
【００４４】
以上のような実施形態では、ＣＣＤカメラなどの撮像手段を用いることなく、受光素子２５によって画素データを取得し、検査画像データを構成しているので、撮像手段に内蔵されているレンズによる周辺減光や、撮像手段における各撮像画素の感度のばらつきなどの影響を受けることなく、液晶パネル１によって表示される画像を正確に反映した検査画像データを構成することができる。
【００４５】
以上のような実施形態では、各液晶画素１１の画素データを受光素子２５によって取得する際に、透光遮光部材２３における遮光部２３２によって、データ取得対象画素以外の他の液晶画素によって変調される光を遮ることができるので、受光素子２５では、当該他の液晶画素の影響を受けることなく、データ取得対象画素の画素データを正確に取得することができる。したがって、当該各画素データの組合せとしての検査画像データを高精度に構成することができる。
【００４６】
以上のような実施形態によれば、各データ取得対象画素についての画素データを順次取得している間に光源２２からの出射光量に変動が生じたとしても、補正用受光素子２６によって取得される光源出射光量データの変動に合わせて、受光素子２５によって取得される画素データを補正することができるので、光源２２からの出射光量の変動の影響をなくすことができ、液晶パネル１によって表示される画像を正確に反映した検査画像データを構成することができる。
【００４７】
以上のような実施形態では、透光遮光部材２３における透光部２３１を透過した後の、液晶パネル１におけるデータ取得対象画素１１のみに照射される光の一部が、ハーフミラー２４によって分割されて補正用受光素子２６に照射される。このため、補正用受光素子２６によって取得される光源出射光量データは、光源２２から出射された光のうち、特に、データ取得対象画素１１に照射される分の光量変動を正確に反映したデータとなるので、当該データ取得対象画素１１について取得された画素データを高精度に補正することができる。
【００４８】
本発明は、以上で説明した各実施形態によって限定されるものではなく、この実施形態を、本発明の目的を達成できる範囲内において変形したものであれば、本発明の技術的範囲に含まれる。
【００４９】
例えば、前記実施形態では、本発明における画像表示装置を、各液晶画素１１の透過率を制御することによって光を変調して画像を表示する透過型の液晶パネル１としていたが、各液晶画素の反射率を制御することによって光を変調して画像を表示する反射型の液晶パネルとしてもよい。
【００５０】
また、前記実施形態では、透光遮光部材２３を、光路Ｌ１上において液晶パネル１よりも光源２２側に配置していたが、光路Ｌ１上において液晶パネル１よりも受光素子２５側に配置してもよい。
【００５１】
また、前記実施形態では、液晶パネル１を移動可能とし、透光遮光部材２３を固定配置して移動不可能としていたが、本発明では、液晶パネル（画像表示装置）および透光遮光部材が相対移動可能であればよく、例えば、液晶パネルを固定配置して移動不可能とし、透光遮光部材を移動可能としてもよい。
【００５２】
また、前記実施形態では、補正用受光素子２６が、光源２２から出射された光のうち、透光遮光部材２３における透光部２３１を透過し、ハーフミラー２４にて分割された光を受けていたが、本発明では、補正用受光素子２６は、光源２２から出射される光の一部を受けて光源２２の出射光量データを取得可能なものであればよい。例えば、光源２２と透光遮光部材２３との間にハーフミラー２４を配置し、当該ハーフミラー２４にて分割された光を受けるように補正用受光素子２６を配置してもよい。
【産業上の利用可能性】
【００５３】
本発明は、検査画像データの構成に利用することができる。
【図面の簡単な説明】
【００５４】
【図１】検査対象としての液晶パネルを示す平面図である。
【図２】液晶パネルの検査に用いられる検査画像データを構成するための検査画像データ構成装置の構成を示すブロック図である。
【図３】透光遮光部材を示す平面図である。
【図４】検査画像データの構成の流れを示すフローチャートである。
【図５】画素データの補正の例を示す表である。
【符号の説明】
【００５５】
１…液晶パネル，２…データ取得部，３…データ処理部，４…制御部，１１…液晶画素，１２…ブラックマトリックス，２１…液晶パネル駆動テーブル，２２…光源，２３…透光遮光部材，２４…ハーフミラー，２５…受光素子，２６…補正用受光素子，２７…Ａ／Ｄ変換器，３１…画素データ取得手段，３２…画素データ補正手段，３３…画素データ保存手段，３４…検査画像データ構成手段，４１…表示制御手段，４２…移動制御手段，２３１…透光部，２３２…遮光部。
【図１】
2007147436.tif 000003
【図２】
2007147436.tif 000004
【図３】
2007147436.tif 000005
【図４】
2007147436.tif 000006
【図５】
2007147436.tif 000007